(57)【要約】【課題】高濃度の正負イオンを口唇の周辺に放出することにより、口唇の水分量を増加させ、保湿効果を高める。【解決手段】美容器具１は、空気中での放電により空気から正負イオンを生成して、正負イオンを外部に放出する。美容器具１を使用者の顔近くで衣類に装着する。美容器具１の吹出口を使用者の口唇に向ける。吹出口から正負イオンが口唇に向けて放出され、正負イオンが口唇に当たると、口唇の水分量が増加し、口唇の保湿効果が得られる。【選択図】図１１
2014045968.tif 000002
【特許請求の範囲】
【請求項１】
空気中で放電して荷電粒子を発生させる美容器具を身体に装着して、放電により空気から生成する荷電粒子を美容器具の吹出口から口唇に向けて放出し、口唇の水分量を増加させて、口唇の保湿を行うことを特徴とする口唇の保湿方法。
【請求項２】
美容器具は、正イオンとしてのＨ＋（Ｈ２Ｏ）ｍ（ｍは任意の自然数）と負イオンとしてのＯ２−（Ｈ２Ｏ）ｎ（ｎは任意の自然数）を発生することを特徴とする請求項１記載の口唇の保湿方法。
【請求項３】
口唇の周囲において、正イオンおよび負イオンがそれぞれ１０００００個／ｃｍ３以上となるように、美容器具は正イオンおよび負イオンを放出することを特徴とする請求項２記載の口唇の保湿方法。
【請求項４】
空気中で放電して荷電粒子を発生させる荷電粒子発生素子と、発生した荷電粒子を外部に放出する送風機と、荷電粒子発生素子および送風機を内装したケーシングとを備え、ケーシングに吹出口が形成され、吹出口が口唇に向くようにケーシングを身体に装着するための装着具が設けられたことを特徴とする美容器具。
【請求項５】
荷電粒子発生素子は、正イオンとしてのＨ＋（Ｈ２Ｏ）ｍ（ｍは任意の自然数）と負イオンとしてのＯ２−（Ｈ２Ｏ）ｎ（ｎは任意の自然数）を発生し、口唇の周囲において、正イオンおよび負イオンがそれぞれ１０００００個／ｃｍ３以上となるように、正イオンおよび負イオンが放出されることを特徴とする請求項４記載の美容器具。
【請求項６】
吹出口が正イオンと負イオンとを別々に放出するように分けられたことを特徴とする請求項５記載の美容器具。
【請求項７】
ケーシングの上面に吹出口が形成され、ケーシングの側面に吸込口が形成され、荷電粒子発生素子は、正イオンを発生するイオン発生部と負イオンを発生するイオン発生部とを備え、２つのイオン発生部は、吹出口の近傍に位置し、互いに隔てて配置されたことを特徴とする請求項５または６記載の美容器具。
【請求項８】
装着具は使用者の衣服に装着されることを特徴とする請求項４〜７のいずれかに記載の美容器具。
【請求項９】
装着具は使用者の顔に装着されることを特徴とする請求項４〜７のいずれかに記載の美容器具。
【発明の詳細な説明】
【技術分野】
【０００１】
本発明は、正負イオンなどの荷電粒子により口唇を潤ませる保湿方法およびこの保湿方法に使用する美容器具に関する。
【背景技術】
【０００２】
美容分野において、肌の潤いや張り、艶を維持するために保湿を行うことは重要で化粧品等多くの商品が市場に出回っている。一概に肌といっても、体の部位によって構造や特性が異なっている。範囲を顔に限っても、頬などの肌は角質層が厚く、皮脂腺があるため、皮脂膜が形成され、保湿機能が比較的高い部位である。そのため、一般的には、頬や額などの肌を保湿する場合は、まず化粧水で肌に水分を与え、その後に水分蒸散を抑えるため肌に蓋をするようなイメージで乳液やクリームなどを塗布する。
【０００３】
これに対して、口唇、つまり赤く見える唇部分は頬などの肌とは構造が異なる。角質層が薄く、皮脂腺や汗腺もないため、保湿方法も肌と同様の方法では効果が少ない。実際、口唇は温湿度や紫外線などの外的環境の影響を受けやすい。また、飲食や会話によって口唇に摩擦が起きることにより、乾燥や荒れを引き起こす。特に乾燥を感じやすい人は頻繁にリップクリームを塗布するなどといったケアが必要となる。リップクリームはワセリンなどが使用されており、口唇に油膜を作って、乾燥などから保護することを目的としているものが多い。つまり、リップクリームは、肌に水分を与える化粧水と言うよりも、油分によって肌に蓋をする乳液やクリームに近い役割を担っている。
【０００４】
これらの方法とは異なり、特許文献１には、正負イオンの作用によって、肌の水分を増加させるとともに真皮の水分保持機能を高めることができる保湿効果が開示されている。この水分保持機能を高めるための美容器具は、使用者の顔面から離して設置される。美容器具は、イオン発生素子から発生した正負イオンを低速の気流に乗せて使用者に向かって放出する。肌表面に照射するイオン濃度を所定値以上に高めることにより、正負イオンが反応して生成する水が肌に潤いを与える。このようにして、肌表面の水分量が増加し、真皮の水分保持機能が向上する。
【先行技術文献】
【特許文献】
【０００５】
【特許文献１】特許第４７９００６８号公報
【発明の概要】
【発明が解決しようとする課題】
【０００６】
上記特許文献１に記載の方法の場合、目尻や眼下などの肌の保湿効果のみ実証しており、組織構造が異なる口唇に対しては効果検証が実施されていない。すなわち、イオン濃度２．５万個／ｃｍ３の正イオンおよび負イオンを肌に当てて、保湿効果を確認している。
【０００７】
本発明の発明者らは、正イオンおよび負イオンの働きで肌と同様に口唇についてもイオンの保湿効果を検証したが、特許文献１記載の方法により、顔面に正負イオンを当てたとき、肌の保湿効果が認められるのは照射開始から６０分後だったのに対し、口唇の保湿に関しては、イオン濃度１０万個／ｃｍ３以上を当てたにも関わらず、照射開始から６０分後において保湿効果を確認するに至らなかった。
【０００８】
本発明は、上記に鑑み、高濃度の正負イオンなどの荷電粒子を口唇の周辺に放出することにより、口唇の水分量を増加させる保湿方法およびこの方法に使用する美容器具の提供を目的とする。
【課題を解決するための手段】
【０００９】
本発明は、空気中で放電して荷電粒子を発生させる美容器具を身体に装着して、放電により空気から生成する荷電粒子を美容器具の吹出口から口唇に向けて放出し、口唇の水分量を増加させて、口唇の保湿を行うものである。
【００１０】
美容器具が使用者の身体、特に顔の近くに装着されると、美容器具と口唇との距離が短くなる。美容器具から口唇に向かって荷電粒子が放出されるが、荷電粒子は拡散することなく口唇に当たる。すると、荷電粒子の作用により、口唇表面で水分子が生成され、口唇が潤される。
【００１１】
美容器具は、荷電粒子として正負イオンを発生する。特に、正イオンとしては、Ｈ＋（Ｈ２Ｏ）ｍ（ｍは任意の自然数）とされ、負イオンとしては、Ｏ２−（Ｈ２Ｏ）ｎ（ｎは任意の自然数）とされる。口唇の周囲において、正イオンおよび負イオンがそれぞれ１０００００個／ｃｍ３以上となるように、美容器具は正イオンおよび負イオンを放出する。正負イオンが口唇に当たることにより、ＯＨ基が付着し、口唇表面が局所的に親水化されて、水分子が付着しやすくなり、口唇の水分量が増える。なお、荷電粒子としては、負イオン単独であってもよく、帯電微粒子水であってもよい。
【００１２】
上記の美容器具は、空気中で放電して荷電粒子を発生させる荷電粒子発生素子と、発生した荷電粒子を外部に放出する送風機と、荷電粒子発生素子および送風機を内装したケーシングとを備えたものである。ケーシングに吹出口が形成され、吹出口が口唇に向くようにケーシングを身体に装着するための装着具が設けられる。装着具は、使用者の衣服に装着される、あるいは使用者の顔に装着される。
【００１３】
美容器具は使用者の顔の近くで口唇に向けて装着される。これにより、吹出口から放出されたイオンなどの荷電粒子は集中的に口唇に到達する。
【００１４】
荷電粒子発生素子は、正イオンとしてのＨ＋（Ｈ２Ｏ）ｍ（ｍは任意の自然数）と負イオンとしてのＯ２−（Ｈ２Ｏ）ｎ（ｎは任意の自然数）を発生し、口唇の周囲において、正イオンおよび負イオンがそれぞれ１０００００個／ｃｍ３以上となるように、正イオンおよび負イオンが放出される。このように、高濃度の正負イオンが口唇に当たることにより、保湿効果が得られる。
【００１５】
吹出口が正イオンと負イオンとを別々に放出するように分けられる。正負イオンが口唇に到達するまでに互いのクーロン力によって引き合って再結合することを防げる。したがって、高濃度のイオンを効率よく口唇に向かって放出できる。
【００１６】
ケーシングの上面に吹出口が形成され、ケーシングの側面に吸込口が形成され、荷電粒子発生素子は、正イオンを発生するイオン発生部と負イオンを発生するイオン発生部とを備え、２つのイオン発生部は、吹出口の近傍に位置し、互いに隔てて配置される。吹出口から放出された直後の正イオンと負イオンとが混じり合うのを防げるので、遠くまで高濃度を維持したまま正負イオンを放出できる。
【発明の効果】
【００１７】
本発明によると、美容器具を使用者の顔近くに装着することにより、至近距離からイオンなどの荷電粒子を口唇に放出するができる。これにより、荷電粒子が口唇に集中的に当たり、効率的に口唇の水分量を増やして、口唇を保湿することができる。
【図面の簡単な説明】
【００１８】
【図１】本発明の美容器具の斜視図
【図２】美容器具の内部構造を示す正面図
【図３】図２のＩ−Ｉ線断面図
【図４】イオン発生素子の斜視図
【図５】イオン発生素子の回路ブロック図
【図６】送風機の斜視図
【図７】電池の斜視図
【図８】検証試験の結果を示すグラフ
【図９】比較試験の結果を示すグラフ
【図１０】肌構造を説明するための模式図
【図１１】美容器具の使用状態を示す図
【図１２】電池を分離した構造の美容器具の斜視図
【図１３】電池を内蔵していない美容器具の断面図
【図１４】顔に装着可能な美容器具の斜視図
【図１５】顔に装着可能な美容器具の使用状態を示す図
【発明を実施するための形態】
【００１９】
本実施形態の口唇の保湿方法に使用する美容器具を図１〜３に示す。美容器具１は、空気中での放電によって空気から荷電粒子を生成する荷電粒子発生素子を搭載しており、生成された荷電粒子を外部に放出する。荷電粒子は、正イオンおよび負イオンとされる。
【００２０】
美容器具１は使用者の身体に装着可能とされ、携帯可能なケーシング２に、放電により正イオンおよび負イオンを生成するイオン発生素子３、正負イオンを外部に放出する送風機４、イオン発生素子３および送風機４を駆動制御する制御装置などを搭載した制御基板５、電源としての電池６が内装される。ケーシング２は、概略横幅４ｃｍ×奥行き１ｃｍ×高さ５ｃｍの直方体に形成される。ケーシング２の容積は、２０ｃｍ３以下となる。
【００２１】
ケーシング２の上面に吹出口７が形成され、左右の側面に吸込口８が形成される。ケーシング２内に、側面の吸込口８から上方の吹出口７に向かって空気流路９が形成される。送風機４は、空気流路内に位置する。イオン発生素子３は、空気流路９に臨むように位置する。
【００２２】
ケーシング２の背面に、身体に装着するための装着具が設けられる。装着具は、使用者の衣服に簡単に装着できるように、挟んで止めるクリップ１０とされる。ケーシング２の底面には、運転のオンオフを行う運転スイッチ、外部電源を接続するための接続端子が設けられる。なお、ケーシング２の前面には、何も設けられていない。
【００２３】
イオン発生素子３は、図４、５に示すように、２つのイオン発生部１１，１２と、高電圧発生回路１３と、ハウジング１４とから構成される。樹脂製のハウジング１４は平板状に形成され、ハウジング１４の左右両側にイオン発生部１１、１２が設けられる。
【００２４】
２つのイオン発生部１１、１２は同じ構造であり、放電電極１５と対向電極１６とから構成される。針状の放電電極１５がハウジング１４から突出している。ハウジング１４内に、放電電極１５を囲むように対向電極１６が設けられる。ハウジング１４の中央に、突出部１７が盛り上がるように形成される。突出部１７に、高電圧発生回路１３が収納されている。
【００２５】
ハウジング１４の表面に、ケーシング２内の電池６に接続される入力端子２０が設けられ、入力端子２０を通じて電池６から高電圧発生回路１３に電力供給される。高電圧発生回路１３は、入力端子２０を通じて供給された電力からパルス状の駆動信号を発生する駆動信号発生部２１と、駆動信号を高電圧に変換する高電圧発生部２２と、高電圧信号から正極性高電圧信号を分離する正極性高電圧発生部２３と、高電圧信号から負極性高電圧信号を分離する負極性高電圧発生部２４とを有する。
【００２６】
高電圧発生部２２は、対向電極１６に電気的に接続され、正極性高電圧発生部２３は一方の放電電極１５に接続され、負極性高電圧発生部２４は他方の放電電極１５に接続される。正極性高電圧発生部２３が発生した高電圧信号は、放電電極１５に印加され、対向電極１６との間に放電が発生して、正イオンが発生する。同様に、負極性高電圧発生部２４が発生した高電圧信号は、放電電極１５に印加され、対向電極１６との間に放電が発生して、負イオンが発生する。
【００２７】
特に、正イオンをＨ＋（Ｈ２Ｏ）ｍ（ｍは任意の自然数)、負イオンをＯ２−（Ｈ２Ｏ）ｎ（ｎは任意の自然数）となるように調整して発生、放出させる場合には、正負イオンが空気中の細菌やにおい物質の表面に付着して、表面で化学反応を起こし、その時に発生する活性種である水酸基ラジカル（・ＯＨ）や過酸化水素Ｈ２Ｏ２が細菌を殺菌し、におい物質を分解することが知られている。
【００２８】
イオン発生素子３は、ケーシング２の上部の背面寄りに配置され、イオン発生部１１，１２は、吹出口７の近傍に位置する。イオン発生部１１，１２が前側を向き、放電電極１５が空気流路９に突き出る。２つのイオン発生部１１，１２は、突出部１７により左右に隔てて配置されることになる。突出部１７の前面がハウジング１４の前面より前方に突出しているので、イオン発生部１１，１２の前方に空間が形成される。この空間が空気流路の一部となる。
【００２９】
また、吹出口７の中央に仕切り壁２５が形成され、仕切り壁２５は、突出部１７に対向する。これにより、吹出口７は、正イオンと負イオンとを別々に放出するように分けられる。仕切り壁２５により吹出口７は左右に分けられ、吹出口７の左右の一側に一方のイオン発生部１１が位置し、左右の他側に他方のイオン発生部１２が位置する。吹出口７の一側から正イオンが放出され、他側から負イオンが放出される。
【００３０】
送風機４は、ケーシング２の下部の前側寄りに配置される。イオン発生素子３は、ケーシング２の上部に配置され、空気流路９において、送風機４はイオン発生素子３の上流側に位置する。
【００３１】
図６に示すように、送風機４は超小型の両面吸込み型ターボファンとされる。ファン２６はモータの回転子と一体になっており、モータのステータ部分がケース２７に支持される。ケース２７には、空気を吸い込む吸込口２８と吸い込んだ空気を送出する吹出口２９が形成されている。
【００３２】
送風機４のケース２７は、吹出口２９が上側になるようにケーシング２に設置される。ケース２７の吸込口２８は、前面および背面を向く。ケーシング２の吸込口２８から空気流路９に吸い込まれた空気は、送風機４の吸込口２８からファン２６に吸い込まれ、ケース２７の吹出口２９から上方に向かって吹き出される。吹き出された空気は、空気流路９を通ってイオン発生素子３の前方を通り、発生したイオンを含んで吹出口７から上方に吹き出される。
【００３３】
電池６として、図７に示すように、薄型のリチウムイオン電池が使用される。電池６は、ケーシング２内に着脱可能に装着される。電池６は、電池本体部６ａとリード線６ｂとからなり、リード線６ｂが制御基板５に接続される。電池６は、美容器具１の電力供給源となる。制御基板５には、制御装置としてのＣＰＵ、メモリなどが実装される。運転スイッチのオンにより、制御装置は、高電圧発生回路１３を駆動制御する。
【００３４】
電池６は送風機４の背面側に配置され、送風機４と電池６との間に制御基板５が配置される。制御基板５は電池６に極端に近接して配置され、送風機４と制御基板５との間に、より大きな間隙３０が形成される。間隙３０は、ケーシング２の側面に形成された吸込口８と連通し，空気流路を形成する。
【００３５】
制御基板５は、両面実装基板であって、制御基板５の大きさは送風機４とほぼ同じであり、電池６の横幅は制御基板５よりも小さい。そのため、電池６と向かい合う制御基板５の背面では、電池６と重なる部分には部品が実装されず、電池６と重ならない部分に部品が多く配置される。また、送風機６と向かい合う制御基板５の前面では、送風機４の吸込口２８と対向する部分には部品が実装されず、部品の多くはその周囲に実装される。
【００３６】
このように制御基板５に部品実装を行うことにより、送風機４と制御基板５との間の間隙３０を広くでき、電池６と制御基板５との間にも隙間ができる。ケーシング２の吸込口８から送風機４までスムーズな空気の流れが形成され、送風機４は効率よく外部から空気を吸い込むことができる。
【００３７】
上記の美容器具１を用いて、検証試験を行い、正負イオンによる口唇の保湿効果を確認した。
（検証試験詳細）
１）実験実施期間：２０１２年４月１４日〜２０１２年４月２０日 
２）試験デザイン：試験区１：対照群（送風のみ）
試験区２：イオン群  
３）イオン濃度： １０００００個/ｃｍ３（正イオン、負イオン各々）、風速０．１ｍ/ｓｅｃ（美容器具の吹出口から３０ｃｍの位置） 
４）運転時間：１２０分 
５）試験室の温湿度：約２３．１〜２７．０度/３５〜５７％
（試験室の床面積１６．３ｍ２） 
６）被験者：２０歳以上６５歳以下の健常女性４５名を対象
７）試験の流れ： 
１  被験者は測定前に洗顔し、そのまま顔に何も付けない状態で試験室に入室
２  被験者は椅子に座った状態で、被験機器の運転前９０分間安静に過ごした後、試験を開始 
３  肌水分量はコルネオメーターＣＭ８２５（(株)インテグラル）を用いて測定
４  水分変化率は試験機器の運転開始から３０分後の値を基準に算出
なお、運転開始から３０分間は美容器具からの風に口唇を慣らす時間とする。      
【００３８】
（検証試験の結果）
表１に唇水分量の時間変化を示す。また、表２に唇水分量の時間変化割合を示す。なお、ＰＣＩはイオン群を表している。
【００３９】
【表１】
2014045968.tif 000003
【００４０】
【表２】
2014045968.tif 000004
【００４１】
（比較試験詳細）
比較のため、目尻部分の肌に対する正負イオンの保湿効果を確認した。試験条件は、検証試験と同じである。ただし、目尻水分量の時系列推移における変動幅１５以上の被験者を除外したため、ｎ＝２６（全被験者数：４５名）とした。
（比較試験の結果）
表３に目尻部分の肌水分量の時間変化割合を示す。
【００４２】
【表３】
2014045968.tif 000005
【００４３】
以上の結果を図８および図９のグラフに示す。図８では、有意差が認められるのは、試験開始から１２０分後であるが、試験開始後の水分変化率が不安定な期間を除外して、試験開始後３０分を基準とした。また、図９には目尻の肌に対する試験結果を示すが、試験開始後に不安定な期間が認められないため、試験開始時間を基準とした。
【００４４】
検証試験および比較試験の結果から次のことがわかった。図１０に一般的な肌組織の模式図を示す。一般の肌部分と比較して、口唇部分の皮膚は粘膜由来の組織を持っており、角質層が薄く、表皮全体も約半分の厚さで薄い。このことから、イオンもしくは反応生成物が浸透し易く、水分増量等の効果も現れ易いと思われたが、結果的には一般的な肌よりも水分増量や保湿効果が表れるのに時間がかかることが明確になった。これらの特性は、口唇部分の肌には毛穴がなく、皮脂腺や汗腺がないため、皮脂による保護膜が形成されないこと、さらに真皮やその下部にある皮下組織の違いによって、肌の潤いや弾力を保持する細胞間脂質や天然保湿因子が少ないためであると考えられる。
【００４５】
以上の結果を踏まえて、目尻の肌と同様に、口唇にも正負イオンの保湿効果を現出させるために、美容器具１が放出すべきイオンの量や美容器具１の設置距離について考察を行った。
【００４６】
肌に当たるイオンの濃度と有意差が認められた時間との間に一定の関係があると想定して、自然界に見られる現象の多くがアレニウスの関係式で表示されるので、これに従うものとした。
【００４７】
目尻の肌については、特許文献１に示す測定点と本発明の比較試験から得た測定点があり、特許文献１からはイオン濃度２５０００個/ｃｍ３のときに６０分後に有意差が認められている。同様に比較試験からイオン濃度１０００００個/ｃｍ３のときに４０分後に有意差を認めているので、この数値から関係を算出する。Ｎ、Ｎｏをイオン濃度、有意差が出る時間をＴ、定数をｋとする。
（１）アレニウスの一般式をＮ＝Ｎｏ＊ＥＸＰ（−ｋＴ）として
（２）特許文献1の数値から２５（千個）＝Ｎｏ＊ＥＸＰ(−ｋ＊６０)
（３）比較試験の数値から１００（千個）＝Ｎｏ＊ＥＸＰ(−ｋ＊４０)として
定数ｋを求めると、ｋ＝０．０６９３１４７となる。
これを（２）式に代入してＮｏを求めると、Ｎｏ＝１６００（千個）が求まる。
同様に（３）式に代入してＮｏを求めると、Ｎｏ＝１６００（千個）が求まる。
よって、（１）式はＮ=１６００＊ＥＸＰ(−０．０６９３１４７Ｔ)となる。
【００４８】
目尻の肌については、（１）式が成立するとして、口唇についても同じ定数が適用できると仮定して、
（４）口唇に関する式をｎ１＝ｎ＊ＥＸＰ(−０．０６９３１４７Ｔ)とする。
（５）検証試験の数値から試験開始当初３０分を無効とすると、
１００（千個）＝ｎ＊ＥＸＰ(−０．０６９３１４７＊９０)となり、ｎ＝５１２００（千個）を得る。
【００４９】
これを（４）に代入して、肌に有意差が確認できた時間６０分もしくは４０分で、口唇にも有意差が認められるようにイオンを放出したとすると、
（６）ｎ１＝５１２００＊ＥＸＰ(−０．０６９３１４７＊６０)＝８００（千個）
（７）ｎ１＝５１２００＊ＥＸＰ(−０．０６９３１４７＊４０)＝３２００（千個）
以上から、６０分で効果が出るには、８０００００個/ｃｍ３、４０分で効果が出るようにするには、３２０００００個/ｃｍ３程度のイオンが必要であることが理解できる。
【００５０】
ところで、美容器具１で生成された正イオンおよび負イオンは、空気中の水分子や気体分子から得られたものである。２つのイオン発生部１１、１２が近い場合には、発生したイオンが互いのクーロン力で引き合って再結合してしまう。再結合すると、元の水分子に戻ってしまうので、活性物質は失われ、活性物質による殺菌効果や脱臭効果も無くなる。つまり、正負イオンを高濃度で発生させて、互いの再結合をさせないで対象物に当たるように放出することは、発生したイオンが高濃度であればあるほど、また時間がかかればかかるほど難しくなる。通常は、送風機４で送風してイオンを搬送するので、気流速度が速ければ、再結合するまでに遠くまで搬送することが可能であり、２つのイオン発生部１１，１２を離隔すれば、より好ましい結果が得られる。
【００５１】
しかし、美容器具１から気流を顔に向けて吹き付けることになり、気流速度を上げると、不快感につながる。そのため、わずかに感じる程度の気流速度にしなければならない。さらに、装置を小型化すればするほど、両イオン発生部１１，１２を隔てて設置することが難しくなる。そのような条件下で高濃度のイオンを放出するためには、イオン発生部１１，１２と対象物の距離をできる限り近くすることが重要になる。
【００５２】
上記考察に基づいて、顔、特に口周辺に向けて多くのイオンを放出するために、図１１に示すように、本発明における美容器具１を使用者の衣服の首回りまたはその近傍に装着して使用する。美容器具１は、前述のように小型化を行った結果、重量も数十グラムに軽量化を達成できたので、使用者に違和感を抱かせることなく、美容器具１を装着することが可能となる。使用方法としては、シャツなどの襟や胸元にケーシング２をクリップ１０で装着して、美容器具１と顔や口元との距離が３０ｃｍ以下、好ましくは１０ｃｍ程度になるようにして、至近距離で使用する。
【００５３】
上記の美容器具１では、吹出口７から１０ｃｍの距離で正負イオンが各々３００００００個/ｃｍ３以上になることを確認しており、吹出口７から３０ｃｍの距離では、正負イオンが各々１０００００個/ｃｍ３以上となる。これにより、美容器具１から放出された高濃度のイオンが口唇に当たり、口唇を潤し、口唇の水分量を高めることができる。したがって、リップクリームなどを塗布するケアを行わなくても、イオンによる保湿効果が得られる。さらに、美容器具１は電池６を搭載しているので、数時間の連続運転が可能である。そのため、仕事や家事をしながらイオンの効果を享受することができる。
【００５４】
他の形態の美容器具を図１２に示す。上記の美容器具１では、電池６がケーシング２に内蔵された一体型であるが、本美容器具１では、電池４０が分離した構造とされる。ケーシング２には、イオン発生素子３、送風機４、制御基板５が内装され、電池は搭載されない。
【００５５】
ケーシング２と電池４０とは電源ケーブル４１によって接続される。電源ケーブル４１は、ケーシング２の底面に設けられた接続端子に接続される。電池４０は、使用者の身体に装着される。例えば、電池４０が使用者のベルトに装着される、あるいは衣服のポケットやバッグなどに入れられる。
【００５６】
美容器具１のケーシング２は電池を内蔵していないので、内部のスペースに余裕が生じる。そこで、図１３に示すように、送風機４を翼幅の大きいものにすることができる。このような送風機４は、電池一体型の美容器具１に使用される送風機４よりも平面積が小さくなる。したがって、ケーシング２を小型軽量化することができ、使用者は美容器具１を装着しやすくなる。
【００５７】
また、別体の電池４０は大きさの制限がなくなるので、設計自由度が増し、大容量の電池４０の使用が可能となる。これにより、美容器具１の使用可能時間が長くなり、口唇の保湿効果を長時間享受できる。
【００５８】
さらに、他の形態の美容器具を図１４，１５に示す。本美容器具１は、使用者の顔に装着可能とされる。美容器具１のケーシング２を顔に装着するための装着具４２が付属している。装着具４２はヘッドマイク状とされ、ヘッドアーム４３、イヤパッド４４、ビーム４５から構成される。なお、ケーシング２の構造は、電池６を内蔵した上記の形態のものと同じである。
【００５９】
ヘッドアーム４３は、左右のイヤパッド４４を保持するとともに、頭頂部を支点としてケーシング２の位置を確保するためのものである。イヤパッド４４は、左右の耳または頬に当てて、ケーシング２の重量を支えながら位置を固定する。ビーム４５は、左右のいずれか一方のイヤパッド４４に支持され、ビーム４５の先端にケーシング２が取り付けられる。ケーシング２は、向きを変えることができるようにビーム４５に対して回動可能とされる。この装着具４２を用いて、美容器具１を顔に装着したとき、吹出口７が使用者の口唇を向くようにケーシング２の向きを調整することができる。このヘッドアームを帽子に代えてもよく、帽子から延びたビームにケーシング２が取り付けられる。
【００６０】
これによって、美容器具１を口唇のすぐ近くに位置させることができ、高濃度のイオンを確実に口唇表面に供給することができる。吹出口７から口唇までの距離が短いので、送風量を小さくでき、小型の送風機４が使用可能となり、さらにケーシング２を小型軽量化できる。
【００６１】
ここで、電池４０をケーシングから分離した構造としてもよい。例えば、電池４０が装着具４２に設けられる、あるいは使用者の身体に装着される。ケーシング２の小型化、軽量化となり、使用中にケーシング２が位置ずれすることを防げる。
【００６２】
なお、本発明は、上記実施形態に限定されるものではなく、本発明の範囲内で上記実施形態に多くの修正および変更を加え得ることは勿論である。上記の各形態の美容器具から発生する荷電粒子は正負イオンであるが、負イオンまたは帯電したナノサイズの微粒子水にも若干の保水効果が認められている。そこで、荷電粒子発生装置として、負イオン発生装置または帯電微粒子水発生装置を使用してもよく、同様の効果が得られる。
【００６３】
送風機を廃止して、放電により発生するイオン風を利用して、イオンを放出してもよい。美容器具の更なる小型化、軽量化を実現できる。
【００６４】
ケーシングの吹出口の向きを可変としてもよい。吹出口をノズル状にして、回動可能とする、あるいは吹出口にルーバを設ける。これにより、口唇の一部、例えば上唇だけにイオンを集中的に当てることができる。また、正負イオンを別々に放出する吹出口において、吹出口の左右のいずれか一側を閉じるシャッタを設ける。シャッタが閉じると、正イオンあるいは負イオンだけが放出される。負イオンだけを活用したい場合に有用である。
【符号の説明】
【００６５】
１    美容器具
２    ケーシング
３    イオン発生素子
４    送風機
５    制御基板
６    電池
７    吹出口
８    吸込口
１０    クリップ
【図１】
2014045968.tif 000006
【図２】
2014045968.tif 000007
【図３】
2014045968.tif 000008
【図４】
2014045968.tif 000009
【図５】
2014045968.tif 000010
【図６】
2014045968.tif 000011
【図７】
2014045968.tif 000012
【図８】
2014045968.tif 000013
【図９】
2014045968.tif 000014
【図１０】
2014045968.tif 000015
【図１１】
2014045968.tif 000016
【図１２】
2014045968.tif 000017
【図１３】
2014045968.tif 000018
【図１４】
2014045968.tif 000019
【図１５】
2014045968.tif 000020